(57)【要約】【課題】  壁の表側から検出することができ、かつ、配線器具を簡単に取り付けることができる、配線用ボックスを提供する。【解決手段】  配線用ボックス５は、建物の壁１の内側に配設されて、前方から配線器具２がビス４を用いて取り付けられる。この配線用ボックス５は、前面に開口６ａを有する箱状のボックス本体６と、金属板７とを備える。金属板７は、ボックス本体６の前面側の、上方側および下方側に設けられて、前記壁１を隔てた表側から金属探知器を用いて探知可能となっている。そして、この金属板７に、前記ビス４が止められる取付部７ａが形成されている。【選択図】  図１
2005143208.tif 000002
【特許請求の範囲】
【請求項１】
建物の壁の内側に配設されて、前方から配線器具が取着部材を用いて取り付けられる、配線用ボックスであって、
前面に開口を有する箱状のボックス本体と、そのボックス本体の前面側の、一方側および他方側に設けられて、前記壁を隔てた表側から金属探知器を用いて探知可能となる金属板とを、備え、
前記金属板に、前記取着部材が止められる取付部が形成されていることを特徴とする配線用ボックス。
【請求項２】
前記取着部材は、軸部を備え、
前記取付部は、前記軸部が挿通される挿通部と、その挿通部の周縁に設けられて、前記挿通部への前記軸部の押圧による進入を許容するとともに、前記挿通部に挿通された前記軸部と係合してその軸部の抜脱を防止する係止部とを、備えることを特徴とする請求項１に記載の配線用ボックス。
【請求項３】
前記取付部は、弾性的に撓むとともに基端よりも先端が後方に位置する係止片を有し、その係止片の先端部分が、前記係止部となり、
前記軸部は、前記挿通部に、その進入方向に前記係止片を撓ませるようにして進入することを特徴とする請求項２に記載の配線用ボックス。
【請求項４】
前記金属板は、その金属板と前記ボックス本体の周壁との間に、前記壁を切除する際の切除工具が移動可能な隙間を有するように設けられていることを特徴とする請求項１ないし３のいずれか１項に記載の配線用ボックス。
【発明の詳細な説明】
【技術分野】
【０００１】
この発明は、建物の壁の内側に配設されて、前方から配線器具が取り付けられる配線用ボックスに関するものである。
【背景技術】
【０００２】
従来、建物の壁表側から配線器具等を固定するには、取付け用のビスを、前記配線器具等が取着された器具枠に挿通するとともに、壁内に隠蔽もしくは埋設された配線用ボックスを探し出して、その配線用ボックスに設けられたナットに、前記ビスをねじ込んでいた。
【０００３】
また、配線用ボックスの上下には、その配線用ボックスを、壁を隔てた表側から探知するための、アルミ箔が設けられていた。そして、このアルミ箔は、配線器具取付け用のナットのビス孔を覆うように張られていた（例えば、特許文献１参照）。そして、配線器具を配線用ボックスに取り付けるにあたって、その配線用ボックスと対向する部分の前記壁が切除され、その後、ビスが、アルミ箔を突き破って、前記ビス孔にねじ込まれた。
【０００４】
【特許文献１】特開２０００−２３６６１０
【発明の開示】
【発明が解決しようとする課題】
【０００５】
ところで、前記従来の配線用ボックスにおいては、ビス孔にビスを螺入する際に、アルミ箔がビス孔内に挟み込まれて、ビス孔へのビスの螺入を妨げる虞があった。そこで、配線器具を取り付けるにあたって、アルミ箔を除去することも考えられたが、この除去は面倒であった。
【０００６】
この発明は、上記した従来の欠点を解決するためになされたものであり、その目的とするところは、壁の表側から検出することができ、かつ、配線器具を簡単に取り付けることができる、配線用ボックスを提供することにある。
【課題を解決するための手段】
【０００７】
この発明に係る配線用ボックスは、前記目的を達成するために、次の構成からなる。すなわち、
請求項１に記載の発明に係る配線用ボックスは、建物の壁の内側に配設されて、前方から配線器具が取着部材を用いて取り付けられる、配線用ボックスである。この配線用ボックスは、前面に開口を有する箱状のボックス本体と、そのボックス本体の前面側の、一方側および他方側に設けられて、前記壁を隔てた表側から金属探知器を用いて探知可能となる金属板とを、備える。そして、前記金属板に、前記取着部材が止められる取付部が形成されている。
【０００８】
これにより、建物の壁の内側に配設された配線用ボックスに、配線器具を取り付けるには、始めに、配線用ボックスに備わる金属板を、壁を隔てた表側から、金属探知機を用いて探知することで、この配線用ボックスの位置を検出する。そして、配線用ボックスと対向する部分の、前記壁を切除し、配線用ボックスの開口を壁の表側に臨ませる。その後、配線器具を配線用ボックスに取り付けるために、取着部材を、金属板に形成された取付部に止めるようにする。このように、壁の表側から探知される金属板に、配線器具を取り付けるための取付部を形成することで、構成が簡単化され、しかも、従来に見られるようなアルミ箔を用いていないため、そのアルミ箔を除去する必要もない。
【０００９】
また、請求項２に記載の発明に係る配線用ボックスのように、請求項１に記載の配線用ボックスにおいて、前記取着部材は、軸部を備え、そして、前記取付部は、前記軸部が挿通される挿通部と、その挿通部の周縁に設けられて、前記挿通部への前記軸部の押圧による進入を許容するとともに、前記挿通部に挿通された前記軸部と係合してその軸部の抜脱を防止する係止部とを、備えてもよい。これにより、この配線用ボックスに配線器具を取り付ける場合に、この配線用ボックスにおける取付部の挿通部に、取着部材の軸部を押し込むように押圧する。このとき、係止部は、軸部に押圧されて、その軸部の、挿通部への進入を許容する。そして、取着部材の押し込みを終えると、係止部は、軸部と係合し、配線器具は、配線用ボックスに取り付けられる。
【００１０】
また、請求項３に記載の発明に係る配線用ボックスのように、請求項２に記載の配線用ボックスにおいて、前記取付部は、弾性的に撓むとともに基端よりも先端が後方に位置する係止片を有し、その係止片の先端部分が、前記係止部となり、前記軸部は、前記挿通部に、その進入方向に前記係止片を撓ませるようにして進入してもよい。このように、係止部が、弾性的に撓むとともに基端よりも先端が後方に位置する係止片の先端部分からなることで、挿通部への軸部の押圧による進入を容易に許容することができ、また、係止部が、挿通部に挿通された軸部と係合して、その軸部の抜脱を確実に防止する。
【００１１】
また、請求項４に記載の発明に係る配線用ボックスのように、請求項１ないし３のいずれか１項に記載の配線用ボックスにおいて、前記金属板は、その金属板と前記ボックス本体の周壁との間に、前記壁を切除する際の切除工具が移動可能な隙間を有するように設けられてもよい。こうして、金属板とボックス本体の周壁との間に隙間が設けられることで、その隙間が、壁を切除する際の、切除工具を逃がす空間となる。したがって、この隙間により、ボックス本体が切除工具によって削られるのを回避することができる。
【発明の効果】
【００１２】
以上、詳述したところから明らかなように、この発明に係る配線用ボックスによれば、壁の表側から探知される金属板を備えることで、この配線用ボックスを、壁の表側から検出することができる。その上、その金属板に、配線器具を取り付けるための取付部を形成することで、構成が簡単化される。しかも、従来に見られるようなアルミ箔を用いていないため、そのアルミ箔を除去する必要もなく、配線器具をこの配線用ボックスに簡単に取り付けることができる。
【発明を実施するための最良の形態】
【００１３】
以下、この発明に係る配線用ボックスを実施するための最良の形態を図面に基づいて説明する。
【００１４】
図１ないし図３は、本発明に係る配線用ボックスの一実施の形態を示す。図中符号１は、建物の壁である。２は、コンセントとかスイッチ等の配線器具である。３は、その配線器具２を保持する保持材としての保持パネルである。４は、取着部材としての、軸部４ａを備えるビスである。５は、配線用ボックスであって、前記建物の壁１の内側に配設される。
【００１５】
ここで、保持パネル３は、枠状に形成されており、その枠内に、配線器具２が取り付けられる。そして、保持パネル３は、その各側、例えば上下の各側に、ビス４が挿通される孔３ａが明けられている。
【００１６】
配線用ボックス５は、例えば合成樹脂製であって、その配線用ボックス５には、前方から配線器具２が、取着部材としてのビス４を用いて取り付けられる。この配線用ボックス５は、前面に開口６ａを有する箱状のボックス本体６と、そのボックス本体６の前面側の、一方側および他方側に設けられて、壁１（詳細には、壁パネル）を隔てた表側から金属探知器を用いて探知可能となる金属板７とを、備える。そして、この金属板７に、前記ビス４が止められる取付部７ａが形成されている。詳細には、取付部７ａは、ビス４の軸部４ａが挿通される挿通部７ｂと、その挿通部７ｂの周縁に設けられて、挿通部７ｂへの軸部４ａの押圧による進入を許容するとともに、挿通部７ｂに挿通された軸部４ａと係合してその軸部４ａの抜脱を防止する係止部７ｃとを、備える。
【００１７】
具体的には、ボックス本体６は、前方が開放した箱形形状、例えば直方体形状、特に縦長となる直方体形状をしている。そして、このボックス本体６には、その周壁６ｂに相対向するように、スリット６ｃ、６ｃが貫通形成されている。このスリット６ｃは、図示実施の形態においては、周壁６ｂとなる左壁６ｄおよび右壁６ｅの、上部および下部に、上下方向が長手となるように形成されてる。また、金属板７は、ステンレス鋼板等の金属材料からなり、例えば帯状に形成されて、ボックス本体６の前面側の、一方側および他方側となる上下の各側に設けられる。すなわち、この金属板７は、ボックス本体６に形成されたスリット６ｃ、６ｃに差し込まれるようにして、周壁６ｂ（図示実施の形態においては、左壁６ｄよび右壁６ｅ）に渡されて、そのボックス本体６に取付固定される。このように、金属板７は、ボックス本体６のスリット６ｃ、６ｃに差し込まれることで、そのボックス本体６に、簡単に取り付けられる。なお、このとき、金属板７は、その表面が前方を向いている。また、金属板７は、各端が折曲げ形成されて、スリット６ｃ、６ｃから抜止めされる。
【００１８】
この金属板７に形成された前記取付部７ａは、弾性的に撓むとともに基端よりも先端が後方に、すなわち、取着部材としてのビス４の進入方向側に、位置する係止片７ｄ、７ｄを有している。そして、その係止片７ｄの先端部分が、前記係止部７ｃとなっている。そこで、ビス４の軸部４ａは、前記挿通部７ｂに、その進入方向に前記係止片７ｄを撓ませるようにして進入する。
【００１９】
より詳細には、金属板７には、例えば中央部分に、前記挿通部７ｂとなる通孔７０１が明けられている。そして、その通孔７０１から延びるように、切り込み７０２、７０２が形成され、その切り込み７０２、７０２間が、後方に折れ曲がった前記係止片７ｄとなっている。この切り込み７０２は、図示実施の形態においては、通孔７０１の右側および左側に、上下に位置するように各一対設けられており、これら各一対の切り込み７０２、７０２間が、挿通部７ｂである前記通孔７０１を挟んで対向位置する、前記係止片７ｄ、７ｄとなっている。
【００２０】
次に、以上の構成からなる配線用ボックス５の作用効果について説明する。この配線用ボックス５は、予め、建物の壁１の内側の柱等に、木ねじ等の固着具により取り付けられている。そこで、この壁１の内側に配設された配線用ボックス５に、配線器具２を取り付けるには、始めに、配線用ボックス５に備わる金属板７を、壁１を隔てた表側から、金属探知機を用いて探知するようにして、この配線用ボックス５の位置を検出する。このように、配線用ボックス５が、壁１の表側から探知される金属板７を備えることで、この配線用ボックス５を、壁１の表側から検出することができる。そして、例えばホルソー等を用いて、配線用ボックス５と対向する部分の、壁１を切除して、壁孔１ｂを明け、配線用ボックス５の開口、つまりはボックス本体６の開口６ａを壁１の表側に臨ませる。その後、配線器具２を配線用ボックス５に取り付けるために、壁孔１ｂ部分における、壁１の表側に、配線器具２が取り付けられた保持パネル３を宛がう。そして、ビス４（詳細には、軸部４ａ）を、保持パネル３の孔３ａに通し、この配線用ボックス５の金属板７に形成された取付部７ａに止めるようにする。すなわち、取付部７ａに備わる挿通部７ｂ（通孔７０１）に、ビス４の軸部４ａを押し込むように押圧する。このとき、係止部７ｃ、７ｃは、軸部４ａに押圧されて、その軸部４ａの、挿通部７ｂ（通孔７０１）への進入を許容する。そして、ビス４の押し込みを終えると、係止部７ｃは、軸部４ａ（詳細には、軸部４ａの雄ねじ部）と係合し、配線器具２は、配線用ボックス５に取り付けられる。このように、壁１の表側から探知される金属板７に、配線器具２を取り付けるための取付部７ａを形成することで、構成が簡単化される。しかも、従来に見られるようなアルミ箔を用いていないため、そのアルミ箔を除去する必要もなく、配線器具２をこの配線用ボックス５に簡単に取り付けることができる。
【００２１】
また、金属板７の取付部７ａに備わる係止部７ｃは、弾性的に撓むとともに基端よりも先端が後方に位置する係止片７ｄの先端部分からなっている。これにより、挿通部７ｂ（通孔７０１）への軸部４ａの押圧による進入を容易に許容することができ、しかも、係止部７ｃが、挿通部７ｂ（通孔７０１）に挿通された軸部４ａと係合して、その軸部４ａの抜脱を確実に防止することができる。
【００２２】
反対に、配線用ボックス５から配線器具２を取り外す場合には、係止部７ｃが係合したビス４（詳細には、軸部４ａ）を、その緩み方向に回動する。こうすることで、ビス４は、後退し、取付部７ａから取り除かれて、配線器具２は、保持パネル３とともに、配線用ボックス５から取り外される。
【００２３】
また、ボックス本体６に設けられた金属板７、７により、壁１を切除する際の切除工具の、それ以上の進入を防ぐことができ、このボックス本体６を切除工具から保護することができる。
【００２４】
ところで、配線用ボックス５に配線器具２を取り付ける際に、金属板７の挿通部７ｂ（通孔７０１）に、ビス４の軸部４ａを押し込んだ後、さらに、そのビス４を、その締付け方向に回動してもよい。このように、ビス４の回動を加えることで、この配線用ボックス５に配線器具２を強固に固定することが可能となる。特に、図示実施の形態においては、挿通部７ｂ（通孔７０１）に、ビス４の軸部４ａを押し込んだ後、そのビス４を、その締付け方向に回動すると、係止片７ｄ、７ｄは、前方側に撓む。このとき、係止片７ｄ、７ｄは、そのばね性により、元に戻ろうとし、その戻ろうとするばね力が、ビス４を引き込むように作用する。こうして、この係止片７ｄのばね力により、ビス４が緩むのを防止することができる。
【００２５】
なお、本発明は、上述した実施の形態に限定されるわけではなく、その他種々の変更が可能である。例えば、金属板７は、ボックス本体６に、スリット６ｃ、６ｃに差し込まれるようにして取り付けられなくとも、図４および図５に示すように、ボックス本体６に、ねじ止めされてもよい。すなわち、ボックス本体６は、底壁６ｆ（後壁）から突出するボス６ｇを備えている。一方、金属板７には、孔７ｅ、７ｅが明けられている。そこで、取付ネジ８が、前記孔７ｅを通り、前記ボス６ｇにねじ込まれる。もっとも、取付ネジ８は、ボス６ｇに直接ねじ込まれなくとも、例えば、ボス６ｇに埋設されたナットにねじ込まれてもよい。この配線用ボックス５によると、金属板７が、ボックス本体６にねじ止めされることで、そのボックス本体６に確実に取り付けられる。また、この図４および図５においては、金属板７は、その金属板７とボックス本体６の周壁６ｂとの間に、壁１を切除する際の切除工具（例えば、ノコギリ、特に細幅のノコギリ）が移動可能な隙間９を有するように設けられている。つまり、上側の金属板７においては、周壁６ｂとなる、左壁６ｄ、右側６ｅおよび上壁６ｈから離れて位置しており、また、下側の金属板７においては、同じく周壁６ｂとなる、左壁６ｄ、右壁６ｅおよび下壁６ｉから離れて位置している。そして、このように、金属板７とボックス本体６の周壁６ｂとの間に隙間９が設けられることで、その隙間９が、壁１を切除する際の、切除工具を逃がす空間となる。したがって、この隙間９により、壁孔１ｂを容易に明けることができ、また、ボックス本体６が切除工具によって削られるのを回避することができる。しかも、この隙間９によって、切除工具が案内されるので、壁孔１ｂを正確に明けることができる。
【００２６】
また、金属板７を、ボックス本体６に取り付ける構造は、以上に示す構造に限定されるものではなく、どのような構造であってもよい。
【００２７】
また、配線器具２は、ボックス本体６に、保持パネル３を介して取り付けられるが、保持パネル３を介すことなく、直接取り付けられてもよい。
【００２８】
また、取着部材は、軸部４ａに雄ねじが形成されたビス４でなくとも、例えば、軸部４ａに、リング状の凸条が、軸方向に並んで設けられるもの等であってもよい。
【００２９】
また、金属板７の取付部７ａにおける係止部７ｃは、軸部４ａの押圧による進入を許容するように形成されているが、雄ねじが形成された軸部４ａの回転による進入を許容するように、雌ねじからなっていてもよい。
【図面の簡単な説明】
【００３０】
【図１】この発明に係る配線用ボックスの一実施の形態の、縦断面図である。
【図２】同じく、配線用ボックスの正面図である。
【図３】同じく、図２におけるＡ−Ａ線による断面図である。
【図４】この発明に係る配線用ボックスの他の実施の形態の、配線用ボックスの正面図である。
【図５】同じく、図４におけるＢ−Ｂ線による断面図である。
【符号の説明】
【００３１】
１  建物の壁
２  配線器具
４  ビス（取着部材）
４ａ  軸部
５  配線用ボックス
６  ボックス本体
６ａ  開口
６ｂ  周壁
７  金属板
７ａ  取付部
７ｂ  挿通部
７ｃ  係止部
７ｄ  係止片
９  隙間
【図１】
2005143208.tif 000003
【図２】
2005143208.tif 000004
【図３】
2005143208.tif 000005
【図４】
2005143208.tif 000006
【図５】
2005143208.tif 000007